(57)【特許請求の範囲】
【請求項１】
椅子本体が載置される床面と座部との間に介在して前記座部を床面に対して上下動させる座部昇降機構と、前記座部の高さを所定位置に固定するロック機構とを備えた昇降椅子であって、
前記ロック機構が、前記座部昇降機構の進退する可動シャフトに貫通するシャフト挿通孔を備えてその一端が前記椅子本体に開閉自在に取り付けられる一対の制動プレートと、前記制動プレート間に挿入され前記シャフト挿通孔と可動シャフトとの交差角度を設定可能に設けられたストッパ部材と、を有することを特徴とする昇降椅子。
【請求項２】
前記座部昇降機構が一対の稈状支持体を交差させたＸリンクを備え、前記Ｘリンクの一端に連結された可動シャフトの動きを規制する前記ストッパ部材の操作レバーが、前記椅子本体に設けられた座部の下方位置で、座部の側方に設けられていることを特徴とする請求項１記載の昇降椅子。
【請求項３】
前記座部を椅子本体から取り外すことができるようにした請求項１又は２記載の昇降椅子。
【発明の詳細な説明】
【技術分野】
【０００１】
この発明はその座部を昇降調整することのできる昇降式の椅子に関し、詳しくはピアノ演奏などに際して好適な座部の高さ調整機能を有した昇降椅子に関するものである。
【背景技術】
【０００２】
ピアノ演奏用の椅子などにおいては、演奏者が着座するピアノ椅子の座部の高さが演奏者毎に調節できることが望まれる。従来のこの種のピアノ椅子として、例えば特許文献１（特開２０００−２６２３５３号公報）に示すように椅子本体の枠部に対してＸリンク等の機構を介して昇降自在に連結された座部からなり、座部の側方に突設されたつまみを回すことにより座部の高さを調節し得るようにしたものなどが知られている。
さらに、特許文献２（特開平１１−３１８６２５号公報）には、座椅子の上下フレーム間に枢着された平行リンク機構と、操作ペダルの踏込み毎に供給された圧油により平行リンク機構のロッドを上昇させる作動シリンダと、前記ロッドを下降させる解除レバーなどとを備えて構成され、油圧アクチュエータ等の駆動手段を用いて座部の高さを調整する昇降式座椅子が記載されている。
【特許文献１】特開２０００−２６２３５３号公報
【特許文献２】特開平１１−３１８６２５号公報
【発明の開示】
【発明が解決しようとする課題】
【０００３】
しかしながら、前記従来のものでは、その座部の高さを調整するに際してＸリンクなどの昇降機構を用いるために、左右の昇降動作を一致させた上で所定位置に確実に固定するのが難しいという難点があった。
さらに、その固定動作に際して、力の弱い子供や女性などでは操作がスムーズに行えないことがあって、その調整が面倒であった。
また、調節ハンドルを操作して座高を調節するときに座部がガタついたり、着座するときに僅かながらも傾いたりするといった不具合もあった。
本発明は上記課題に鑑みてなされたものであり、昇降する座部を所定位置に固定するに際して、確実かつ容易にその設定を行うことができ、操作性に優れるとともに、デザイン性や経済性にも優れた昇降椅子を提供することを目的とする。
【課題を解決するための手段】
【０００４】
（１）前記課題を解決するためになされた本発明は、椅子本体が載置される床面と座部との間に介在して前記座部を床面に対して上下動させる座部昇降機構と、前記座部の高さを所定位置に固定するロック機構とを備えた昇降椅子であって、前記ロック機構が、前記座部昇降機構の進退する可動シャフトに貫通するシャフト挿通孔を備えてその一端が前記椅子本体に開閉自在に取り付けられる一対の制動プレートと、前記制動プレート間に挿入され前記シャフト挿通孔と可動シャフトとの交差角度を設定可能に設けられたストッパ部材と、を有するように構成される。
【０００５】
（２）本発明は前記（１）記載の昇降椅子において、前記座部昇降機構が一対の稈状支持体を交差させたＸリンクを備え、前記Ｘリンクの一端に連結された可動シャフトの動きを規制する前記ストッパ部材の操作レバーが、前記椅子本体に設けられた座部の下方位置で、座部の側方に設けられていることを特徴とする。
（３）本発明は前記（１）又は（２）記載の昇降椅子において、前記座部を椅子本体から取り外すことができるようにしたことを特徴とする。
【発明の効果】
【０００６】
本発明によれば、座部昇降機構の進退する可動シャフトが貫通する制動プレート間に挿入され前記シャフト挿通孔と可動シャフトとの交差角度を設定可能に設けられたストッパ部材を有するので、昇降する座部を所定位置に固定するに際して、ストッパ部材を用いて確実かつ容易に座部の調整固定操作を行うことができ、操作性に優れるとともに、デザイン性や経済性にも優れた昇降椅子を提供することができる。
【発明を実施するための最良の形態】
【０００７】
本実施形態の昇降椅子は、椅子本体が載置される床面と座部との間に介在して前記座部を床面に対して上下動させる座部昇降機構と、前記座部の高さを所定位置に固定するロック機構とを備えた昇降椅子であって、前記ロック機構が、前記座部昇降機構の進退する可動シャフトに貫通するシャフト挿通孔を備えてその一端が前記椅子本体に開閉自在に取り付けられる一対の制動プレートと、前記制動プレート間に挿入され前記シャフト挿通孔と可動シャフトとの交差角度を設定可能に設けられたストッパ部材と、を有するように構成される。
【０００８】
これによって、ストッパ部材を比較的小さな操作力で容易に操作でき座部の調整固定操作を確実に行うことができる操作性を有している。また、ロック機構を含む機械的構成をシンプルにしてそのデザイン性にも優れたものとすることができる。すなわち、座部を昇降支持するＸリンクなどのリンク機構はバネや油圧ユニットなどで支承して、その耐久性および安定性を確保することができ、昇降操作は座部を支持するＸリンクを直接に昇降させるようにしているため力の無駄が無く、非力な老人や子供等であっても容易に操作することができる。またストッパ部材を操作するための操作レバーを常に手の届く椅子サイド側の一定の位置に配置してその操作性を確保することができる。
さらに、昇降機構となるＸリンクを１又は２個の左右対として構成し、これらＸリンクを連結する可動シャフトを進退可能に嵌合させて制動プレートを設けるだけでよいので、装置構成が単純でしかもデザイン性に優れた昇降椅子の製造を廉価に行うことができる。また、可動シャフトが制動プレートに嵌合してスライドするようにしているので、昇降椅子における座部位置の無段階調整をスムーズに行うことができる。
【０００９】
座部昇降機構は例えば、スプリングなどの弾性部材、油圧シリンダ、空気圧シリンダ、電動シリンダなどを介して上下動されるＸ字状に組まれた平行リンクや、伸縮スライドする二重管構造などを備えた昇降機構であって、昇降椅子の座部を上下方向に移動させる機能を有して構成されている。
【００１０】
ロック機構は、その一端が椅子本体に開閉自在に取り付けられる一対の制動プレート、このような制動プレート間に挿入されるストッパ部材、ストッパ部材の動きを制御する操作レバーなどを備えて構成され、前記座部昇降機構により上下動される座部の高さをピアノ演奏者などの好みの位置に設定することができるようになっている。この椅子本体にその一端が回動自在に支持された制動プレートのシャフト挿通孔には座部昇降機構のＸリンクなどに接続される可動シャフトがスライドして挿通支持される。こうして、制動プレートと可動シャフトとの交差角度をそのスライド可能角度から広げたり狭めたりすることによって、シャフト挿通孔を介して可動シャフトに摩擦力を付与してスライドする可動シャフトを所定位置で固定ロックする機能を有している。なお可動プレートが挿通される制動プレートは、必要に応じて単数もしくは複数設けることができる。
【００１１】
ストッパ部材は、可動プレートを挿通して支持する制動プレート間に挿入されることによって、これら制動プレートのシャフト挿通孔と可動シャフトとの交差角度を設定するための部材であって、椅子本体に回動軸を介して回動自在に支持された操作レバーやペダルなどによりその挿入あるいは退避動作がなされるようになっている。
【００１２】
本実施形態の昇降椅子は、前記座部昇降機構が一対の稈状支持体を交差させて上下動できるように構成されたＸリンクを備え、前記Ｘリンクの一端に連結された可動シャフトの動きを規制する前記ストッパ部材の操作レバーを、前記椅子本体に設けられた座部の下方位置で、座部の側方の一方に設けることもできる。これによって、ピアノ演奏者などが昇降椅子に腰掛けた状態で、右又は左の座部下方位置にある操作レバーを引くなどの操作をして座部の高さ位置調整を容易に行うことができるとともに、Ｘリンクを備えて耐久性と操作性に優れた昇降椅子を提供することができる。
【実施例１】
【００１３】
本発明の好ましい実施の形態を添付図面を参照しつつさらに具体的に説明する。図１は本発明に係る実施例１の昇降椅子の側面図であり、図２はその一部正面図であり、図３はその平面図である。
図示するように実施例１の昇降椅子１０は、床面に載置される椅子本体１０ａの下部フレーム１１と、座部昇降機構を介して上下動される上部フレーム１２と、上部フレーム１２上に設けられたピアノ演奏者などが座る座部１３と、この座部１３の後部に立設固定された背もたれ部１４とにより構成されている。
【００１４】
座部１３は上部フレーム１２にビスなどで着脱自在に固定されており、座部１３のみを椅子本体１０ａから取り外し可能なようになっている。これにより、座部１３が劣化した場合の交換や、座部の清掃が容易になる。
これにより、従来、座部の表面に被覆されているビニールレザー等の劣化で椅子を修理する場合に椅子本体ごと預かっていたが、使用者が簡単に座部を取り外すことができるので、自分でビニールレザー等の交換が可能となる。
さらに、座部１３は、その前方向の先端部が、上部フレーム１２の前端よりも前にせり出しており、使用者の太ももの下部が直接上部フレーム１２の木枠などに接触しないようになっている。太ももの下部が直接木枠などに接触すると、夏は汗をかいて不快になり、冬は座った瞬間ヒヤッと冷たく感じ、ピアノプレーヤーにとって集中力の妨げになるが、本実施例の椅子はそのような問題を解消したものである。ちなみに本実施例においては、座部の表面に被覆する素材は、厚み１０ｍｍのウレタン素材（Ａ−３０２ウレタンフォーム）をベースにして、その上にウール７０％、アクリル３０％の吸水性に優れた生地としたことにより、長時間座っていても疲れにくくおしりが痛くならない効果を奏する。
【００１５】
昇降椅子１０の座部昇降機構を構成する椅子本体１０ａの下部フレーム１１及び上部フレーム１２は、Ｘ軸部１８を介してＸ字状に組まれた左右一対の稈状支持体１５、１６からなるＸリンクにより椅子本体１０ａの前後側に連結支持されている。稈状支持体１５、１６のそれぞれの両端は椅子本体１０ａに回転自在に支持される固定軸１５ａ、１６ａとスライド軸１５ｂ、１６ｂとになっていて、このスライド軸１５ｂ、１６ｂが上部フレーム１２に設けられた長孔１５ｃ、１６ｃに嵌合して水平方向にスライドされる。長孔１６ｃに嵌合される稈状支持体１６のスライド軸１６ｂには、可動シャフト１９の基端側が連結されて、スライド軸１６ｂの移動に伴って可動シャフト１９が水平方向にスライドするように構成されている。なお、稈状支持体１５、１６にはスプリング１７が取り付けられてＸリンクが維持されるようになっており、これによって上部フレーム１２が下部フレーム１１に対して弾性支持されている。
【００１６】
上部フレーム１２における可動シャフト１９の中間位置には、この可動シャフト１９のスライド動作を規制するためのロック機構２０が設けられている。ロック機構２０は図４に示すように、可動シャフト１９が貫通するシャフト挿通孔２１が穿設された２枚の制動プレート２２、２３と、制動プレート２２、２３間に挿入された可動シャフト１９とシャフト挿通孔２１との交差角度を設定可能に設けられたストッパ部材２４と、制動プレート２２、２３間とを連結して互いに近接させる引きバネなどからなる弾性部材２５と、制動プレート２２、２３間に進退されるストッパ部材２４を操作するための操作レバー２６などを備えている。
【００１７】
制動プレート２２、２３は全体が略矩形板状に形成され、その基端側が上部フレーム１２に設けられた回動固定軸２２ａ、２３ａに回動自在に取り付けられる。ストッパ部材２４は、制動プレート２２、２３間に操作レバー２６を介して進退させることができる。これによって、図４（ａ）、（ｂ）に示すように、制動プレート２２、２３のシャフト挿通孔２１と可動シャフト１９との交差角度を設定して、シャフト挿通孔２１に挿通されてスライドする可動シャフト１９との摩擦力の調整を行うことができるようになっている。
なお、制動プレート２２、２３はストッパ部材２４が介在しない無負荷状態（図４（ｂ）参照）では、スプリング１７により可動シャフト１９がスライド可能な交差角度（９０度）に維持される。一方、制動プレート２２、２３間へのストッパ部材２４の挿入によって、交差角度が広げられて、可動シャフト１９の動きを規制する制動状態（図４（ａ）参照）に設定される。
【００１８】
また、制動プレート２２、２３のシャフト挿通孔２１回りや、シャフト挿通孔２１に挿通される可動シャフト１９の摺動面を凹凸状に形成したり、ゴム材などを配置したりして、その摩擦力を高めて制動効果が高められるようにしておくこともできる。これによって、ストッパ部材２４を制動プレート２２、２３間に挿入して可動シャフト１９とシャフト挿通孔２１との交差角度を広げたり狭めたりする際の操作性を向上させることができる。
【００１９】
実施例１の昇降椅子１０は、ロック機構２０のストッパ部材２４を操作レバー２６を介して操作することによって制動プレート２２、２３の交差角度を変えることにより、可動シャフト１９をシャフト挿通孔２１に咬合させたり咬合を解除させることができる。
これにより、座部昇降機構を構成するＸリンク機構の動作を簡単に無段階制御することができる。
【実施例２】
【００２０】
図５は本発明に係る実施例２の昇降椅子の説明図である。図示するように実施例２の昇降椅子３０は、床面に載置されるフレーム部３１と、座部昇降機構３２を介してフレーム部３１上に上下動される可動シャフト３３と、この可動シャフト３３を所定位置で固定するためのロック機構３４と、可動シャフト３３の上端に背もたれ部３５を有して設けられた座部３６などを備えて構成されている。
【００２１】
座部昇降機構３２は、スプリング３７やエアシリンダや電動シリンダなどを介して可動シャフト３３を立設支持するとともに、可動シャフト３３をその上下方向にスライド移動させる機能を有してフレーム部３１上に配置されている。
ロック機構３４は、フレーム部３１に所定間隔を有してそれぞれ回動自在に配設され可動シャフト３３がそのシャフト挿通孔４０に挿通されて支持される２枚の制動プレート３８、３９と、制動プレート３８、３９間に介挿されるストッパ部材４１と、フレーム部３１に進退自在に取り付けられるストッパ部材４１を操作するための操作部４２と、回動固定軸３８ａ、３９ａを介して椅子本体のフレーム部３１に配置された制動プレート３８、３９間を狭めるように配置されたスプリング４３などとを備えている。
【００２２】
実施例２の昇降椅子３０は、ストッパ部材４１が制動プレート３８、３９間に介挿されていない状態では、可動シャフト３３が制動プレート３８、３９に対してスライドでき、ピアノ演奏者などの自重によって座部３６を沈み込ませるようにして、その高さを調整させることができる。そして、好みの位置で操作部４２を操作して、ストッパ部材４１を制動プレート３８、３９間に介挿させて、可動シャフト３３と制動プレート３８のシャフト挿通孔４０との交差角度を広げるように押圧することで可動シャフト３３に設けられた座部３６の位置を固定維持させることができる。こうして、昇降椅子３０によれば、比較的小さな操作力で容易に操作できるとともに、座部の高さの調整時間を短縮することができるなどの効果を有している。また、操作部４２を着座者が腕を鉛直下方に伸ばした位置付近に配置でき、座部３６と連動する背もたれ部３５の角度調整操作などもより簡単かつスムーズに行うことができる。さらに、ロック機構３４や座部昇降機構３２を座部３６下方にコンパクトに設けることができるので、好適なデザインの昇降椅子を提供できる。
【００２３】
以上説明したように本発明の昇降椅子は、可動シャフトに貫通するシャフト挿通孔を備えてその一端が椅子本体に開閉自在に取り付けられる一対の制動プレート間にストッパ部材を挿入することによって、座部が設けられた可動シャフトを所定位置で固定することを要旨としたものであり、これに該当するものは本発明の権利範囲に属する。例えば、本実施例においては座部に背もたれ部を有する昇降椅子を例に説明したが、本発明は背もたれ部を有しない座部が平面状タイプのものや、座部昇降機構にガススプリングや電動モータなどの駆動機構を有するものなどについても広く適用することが可能である。
【図面の簡単な説明】
【００２４】
【図１】本発明に係る実施例１の昇降椅子の側面図である。
【図２】本発明に係る実施例１の昇降椅子の一部正面図である。
【図３】本発明に係る実施例１の昇降椅子をその底面側から見た平面図である。
【図４】本発明に係る実施例１の昇降椅子のロック機構の説明図である。
【図５】本発明に係る実施例２の昇降椅子の説明図である。
【符号の説明】
【００２５】
１０    実施例１の昇降椅子
１０ａ    椅子本体
１１    下部フレーム
１２    上部フレーム
１３    座部
１４    背もたれ部
１５、１６    稈状支持体
１５ａ、１６ａ    固定軸
１５ｂ、１６ｂ    スライド軸
１５ｃ、１６ｃ    長孔
１７    スプリング
１８    Ｘ軸部
１９    可動シャフト
２０    ロック機構
２１    シャフト挿通孔
２２、２３    制動プレート
２２ａ、２３ａ    回動固定軸
２４    ストッパ部材
２５    弾性部材
２６    操作レバー
３０    実施例２の昇降椅子
３１    フレーム部
３２    座部昇降機構
３３    可動シャフト
３４    ロック機構
３５    背もたれ部
３６    座部
３７    スプリング
３８、３９    制御プレート
３８ａ、３９ａ    回動固定軸
４０    シャフト挿通孔
４１    ストッパ部材
４２    操作部
４３    スプリング
【図１】
0005207839.tif 000002
【図２】
0005207839.tif 000003
【図３】
0005207839.tif 000004
【図４】
0005207839.tif 000005
【図５】
0005207839.tif 000006